(57)【特許請求の範囲】
【請求項１】
釣針部と錘部とを分離かつ嵌合可能な釣用の仕掛けであって、
前記釣針部は、釣針と、前記釣針の根元を保持する保持部と、釣糸が取り付けられる釣糸取付部とを有し、
前記錘部は、前後方向に直交する断面が台形状、半円形状、又は半楕円形状であり、側面視において上底よりも下底の方が長い台形状であり、かつ釣糸が通される貫通孔と、前記貫通孔の下側に位置し前記保持部を嵌合収容する嵌合収容部とを有し、
前記貫通孔は、前記錘部の重心位置より上側に形成され、前記錘部の前方面の端部位置よりも後方面の端部の位置の方が低く、前記錘部の側面視において後方向に向かって低くなる傾斜角度を有しており、
前記保持部は、前方側よりも後方側が一段高い階段状の形状を有し、前記前方側と前記後方側を結合する部分の上下両側がそれぞれ傾斜面として構成され、上側の傾斜面には、前記貫通孔に通される前記釣糸を固定する釣針取付部が設けられ、
前記保持部と前記嵌合収容部は、前記保持部の前記前方側が前記嵌合収容部に嵌合収容した状態において、前記釣針が常に上向きとなるよう構成されている、
ことを特徴とする釣用仕掛け。
【請求項２】
前記嵌合収容部は、前記錘部の側面視において、前記錘部の重心位置付近又は重心より下側に形成されている、
ことを特徴とする請求項１に記載の釣用仕掛け。
【請求項３】
前記保持部の前記前方側は、前記釣針と反対方向に突出する凸部を有し、
前記嵌合収容部は、前記凸部を嵌合収容する凹部である、
ことを特徴とする請求項１又は２に記載の釣用仕掛け。
【請求項４】
前記凸部は、テーパー形状を有する、
ことを特徴とする請求項３に記載の釣用仕掛け。
【請求項５】
前記凹部は、前記貫通孔の貫通方向に対して傾斜する方向に凹んでいる、
ことを特徴とする請求項３に記載の釣用仕掛け。
【請求項６】
前記凹部は、前記錘部の底面に対して略平行な方向に凹んでいる、
ことを特徴とする請求項３に記載の釣用仕掛け。
【請求項７】
前記保持部の重心は、前記釣糸取付部が設けられている側とは反対の側に対して近い位置にある、
ことを特徴とする請求項１ないし６のいずれか１項に記載の釣用仕掛け。
【請求項８】
前記嵌合収容部には、第１の磁石が設けられており、
前記保持部には、前記第１の磁石と引き合う第２の磁石が設けられている、
ことを特徴とする請求項１ないし７のいずれか１項に記載の釣用仕掛け。
【発明の詳細な説明】
【技術分野】
【０００１】
本発明は、釣用の仕掛けに関する。
【背景技術】
【０００２】
従来より、魚釣りに使用される仕掛けの一つとして、テンヤ又はジグヘッド等と呼ばれる仕掛けが存在する（特許文献１参照）。この仕掛けは、活き餌又は疑似餌を取り付ける釣針が錘に固定されており、釣針と錘とが一体化している。この仕掛けの場合、一般に、錘が着底したときに釣針の針先を上方向に位置させて、魚が釣針にフッキングし易くなるように、錘に固定される釣針の針先が特定の方向、即ち上向きに位置するようになっているが、このように釣針と錘とが一体化している仕掛けでは、釣針に取り付けられている餌又は疑似餌に魚が食いついたときに、錘によって釣針の動きが制限されて、魚が釣針に十分にフッキングしないことがある。そこで、魚が食いついたときに釣針が錘から外れて遊動するように、釣針が錘に対して離脱可能に収容する発明も提案されている（特許文献２、３参照）。
【先行技術文献】
【特許文献】
【０００３】
【特許文献１】特開２０１４−１９３１２９号公報
【特許文献２】特開２０１４−２１７２８９号公報
【特許文献３】特開２０１５−０３９３５２号公報
【発明の概要】
【発明が解決しようとする課題】
【０００４】
特に、疑似餌を使用する場合、フッキングに失敗して魚がバレてしまった場合であっても、再び糸を引き寄せることによって錘と釣針が一体化することで釣針をいちいち引き上げる必要がなく、そのまま海底に沈めておけば良いが、特許文献２、３に開示された発明では、一度錘部から分離した釣針部を、再び一体化させようとしても、釣針の針先がバラバラな方向に位置するように収容されてしまうため、釣針が必ずしも上向きとならずに、せっかく食いついた魚をフッキングさせることが困難となっていた。また、生餌を使用する場合、餌取りされた状態で釣針を引き揚げた際、錘部と釣針部がバラバラな関係状態になっていることから、釣り人が錘部に対していちいち釣針部の方向を調整する必要があった。
【０００５】
本発明に係る釣用仕掛けは、錘部と釣針部とを分離かつ嵌合可能としつつ、分離状態にある錘部と釣針部を一体化する際には、常に釣針の針先が特定の方向に位置するように構成することを目的とする。
【課題を解決するための手段】
【０００６】
本発明に係る釣用仕掛けは、釣針部と錘部とを分離かつ嵌合可能な釣用の仕掛けであって、前記釣針部は、釣針と、前記釣針の根元を保持する保持部と、釣糸が取り付けられる釣糸取付部とを有し、前記錘部は、前後方向に直交する断面が台形状、半円形状、又は半楕円形状であり、側面視において上底よりも下底の方が長い台形状であり、かつ釣糸が通される貫通孔と、前記貫通孔の下側に位置し前記保持部を嵌合収容する嵌合収容部とを有し、前記貫通孔は、前記錘部の重心位置より上側に形成され、前記錘部の前方面の端部位置よりも後方面の端部の位置の方が低く、前記錘部の側面視において後方向に向かって低くなる傾斜角度を有しており、前記保持部は、前方側よりも後方側が一段高い階段状の形状を有し、前記前方側と前記後方側を結合する部分の上下両側がそれぞれ傾斜面として構成され、上側の傾斜面には、前記貫通孔に通される前記釣糸を固定する釣針取付部が設けられ、前記保持部と前記嵌合収容部は、前記保持部の前記前方側が前記嵌合収容部に嵌合収容した状態において、前記釣針が常に上向きとなるよう構成されている、ことを特徴とする。
【発明の効果】
【０００７】
上記した本発明によれば、錘部から分離した状態にある釣針部を、釣針の針先が特定の方向に位置するように引き寄せて錘部に収容することができるため、海底に着床した状態において、釣針が常に魚をフッキングしやすい上向き状態に維持することができ、また餌取りされた後も、釣り人がいちいち錘部と釣針部の位置関係を調整する面倒な作業を無くすことができる。
【図面の簡単な説明】
【０００８】
【図１】本発明の第一実施形態に係る釣用仕掛け１０の外観図。
【図２】本発明の第一実施形態に係る釣用仕掛け１０が有する錘部２０の斜視図。
【図３】本発明の第一実施形態に係る釣用仕掛け１０が有する錘部２０の上面図。
【図４】本発明の第一実施形態に係る釣用仕掛け１０が着底した状態を示す図。
【図５】本発明の第一実施形態に係る釣用仕掛け１０の釣針部３０が錘部２０から外れた状態を示す図。
【図６】本発明の際一実施形態に係る釣用仕掛け１０の釣針部３０が錘部２０に水中で収容されて一体化する様子を示す図。
【図７】本発明の第二実施形態に係る釣用仕掛け１０の外観図。
【図８】本発明の第三実施形態に係る釣用仕掛け１０の外観図。
【発明を実施するための形態】
【０００９】
以下、本発明の実施形態につき、図面を参照して説明する。なお、本願発明で説明する「保持部と嵌合収容部は、保持部が嵌合収容部に嵌合収容した状態において、常に所定の嵌合状態となる」とは、錘部の底部を水平面に載置した状態で保持部を嵌合収容部に収容した場合、図４、７、８に示されるように、常に、釣針の針先が、上方を向くような状態となることを意味するものである。
【００１０】
図１は、本発明の第一実施形態に係る釣用仕掛け１０の外観図である。本実施形態における仕掛け１０は、一般に「テンヤ」と呼ばれる種類の仕掛けであり、図示するように、錘部２０と、当該錘部２０と分離、かつ一体化が可能な釣針部３０と、を備える。図１は、釣針部３０が錘部２０から分離して外れている状態を示している。仕掛け１０は、釣竿からの釣糸が、図１における左側から錘部２０を介して釣針部３０に取り付けられて使用され、釣糸は、図１における左方向に巻き取られる。以下、この釣糸が巻き取られる方向（図１の左方向）を「前方」とし、その反対の方向である釣針部３０が位置する方向（図１の右方向）を「後方」として説明する。
【００１１】
錘部２０は、図示するように、断面が半楕円柱形状を有し、前方の面が後方向に傾斜すると共に後方の面が前方向に傾斜し、錘部２０の底部は、略平坦状となっている。この結果、錘部２０は、側面視において、上底よりも下底の方が長い略台形状の輪郭を有する。これにより、錘部２０の重心は底面側に偏位しており、着水した際には、図４〜６に示すように底面が海底面上に位置する形となりやすくなる。錘部２０の前方の面の傾斜角度は、例えば、１０°であり、後方の面の傾斜角度は、例えば、４０°である。このように、錘部２０は、後方の面（即ち、釣針部３０が収容される面）の傾斜角度の方が、前方の面の傾斜角度よりも大きくなるように構成され得る。また、錘部２０は、鉛、鉛合金、タングステン、又はタングステン合金等の比重の大きな金属から形成され得る。
【００１２】
錘部２０は、前後方向に貫通し釣糸が通される貫通孔２２と、この貫通孔２２の後方の面側の端部の鉛直方向下方に設けられた嵌合収容部２４と、を有する。貫通孔２２は、合成樹脂等の材料から成る筒状部材２２ａによって画定されており、錘部２０の前方の面の略上端部分から（図２を参照）、後方の面の略中央部分へと略直線状に、錘部２０を貫通している。つまり、貫通孔２２は、錘部２０の上側部分を貫通し（側面視において重心より上方側を貫通する）、前方の面側の端部の位置よりも後方の面側の端部の位置の方が低く、錘部２０の平坦状の底部に対して、後方向に低くなる傾斜角度（例えば、２０°）を有している。この構成により、仮に、錘部２０が、その底面以外の面を下にして着底していたとしても、釣人が釣糸を引っ張ることによって、いわゆる起き上がり動作が生じて、底面を下とした向きの姿勢に変えることができる。
【００１３】
また、貫通孔２２は、錘部２０の前方の面に対して略直交しており、錘部２０の後方の面においては、筒状部材２２ａの端部の一部（上側部分）が突出し、この筒状部材２２ａの突出する部分の側面が、錘部２０を形成する材料によって覆われている。
【００１４】
嵌合収容部２４は、後方の面から前方へと略直線状に凹む凹部（穴）として形成されており、この凹部は、前後方向に対して直交する縦断面が略正方形の形状を有する。また、嵌合収容部２４が凹む方向は、錘部２０の平坦状の底部に対して略平行である。従って、上述した貫通孔２２は、嵌合収容部２４に対しても上述した傾斜角度を有している。また、嵌合収容部２４は、錘部２０の重心位置付近、又は重心より下側に形成している。
【００１５】
釣針部３０は、ステンレス等の金属から成る一般的な釣針として構成される釣針３２と、この釣針３２の根元を保持する保持部３４と、を有する。保持部３４は、２つの略立方体が階段状に結合された形状を有する前方部３４ａと、この前方部３４ａの後方に連続して形成され略円筒形状を有する後方部３４ｂと、を有する。保持部３４は、錘部２０と同じ材料から形成することができ、例えば、鉛、鉛合金、タングステン、又はタングステン合金等の比重の大きな金属から形成され得る。
【００１６】
保持部３４の前方部３４ａは、前方よりも後方の方が一段高い（上方に位置する）階段状の形状を有し、２つの略立方体を結合する部分の上下両側がそれぞれ傾斜面として構成されている。そして、この各傾斜面には、それぞれリング状の第１取付部３６（釣針取付部３６）及び第２取付部３８が設けられている。上側の傾斜面に設けられている第１取付部３６は、貫通孔２２を通る釣糸を取り付けるための釣糸取付部を構成しており、下側の傾斜面に設けられている第２取付部３８は、疑似餌となるネクタイ、スカート、或いは孫針等を取り付けるための部材である。
【００１７】
ここで、保持部３４の前方部３４ａの前方側の部分（階段状の形状を構成する前方側の略立方体に相当する部分）は、錘部２０の嵌合収容部２４に対して嵌合される。従って、前方部３４ａの前方側の部分の前後方向に対して直交する縦断面の大きさは、嵌合収容部２４の同じく縦断面の大きさと同等であり、又は、若干小さい。また、保持部３４の前方部３４ａは、前方に向かって先細りとなるテーパー形状を有している。
【００１８】
保持部３４の後方部３４ｂは、円筒形状の内側の中空部分に釣針３２の根元が挿入及び接着されており、これにより、後方部３４ｂは、釣針３２の根元を保持している。また、釣針３２は、針先４０が鉛直方向上方に位置するように保持されている。ここで、釣糸が取り付けられる上述した第１取付部３６は、保持部３４の上側に設けられているから、この第１取付部３６は、釣針３２の軸に対して針先４０が位置する側と同じ側に設けられている。
【００１９】
また、後方部３４ｂは、外周面の前方部３４ａ側に凹溝（符号なし）が設けられている。この凹溝は、スカート等の部材を取り付けるために用いられる。
【００２０】
次に、上記のように構成された釣用仕掛け１０が使用される状態について説明する。図４は、釣用仕掛け１０が水中に投入されて着底している状態を示す。釣用仕掛け１０を水中に投入する前に、釣り人は、釣竿からの釣糸Ｌを錘部２０の貫通孔２２に通して釣針部３０の第１取付部３６に取り付ける。その後、釣糸Ｌを巻取り方向に引きながら、釣針部３０の保持部３４（前方部３４ａ）を錘部２０の嵌合収容部２４に収容する。そして、図示しない餌が釣針３２に取り付けられた仕掛け１０が水中に投入されると、図４に示すように、錘部２０の平坦状の底部が下向きとなるように着底し、釣針３２の針先４０は鉛直方向上方に位置する。ここで、釣糸Ｌが通される貫通孔２２は、錘部２０の上側部分を貫通しているから（錘部２０の重心が貫通孔２２よりも下方に位置するから）、仕掛け１０が水中に投入されたときに、錘部２０の底部が下向きになり易い。
【００２１】
ここで、釣針３２に取り付けられた餌を魚が食うと、釣針部３０に釣糸Ｌの巻取り方向とは反対の方向に力が作用し、この結果、釣針部３０が錘部２０から分離して外れる（図５）。錘部２０から外れて遊動する釣針部３０は、その動きが錘部２０によって制限されないから、釣針３２に魚がフッキングし易くなる。
【００２２】
図６は、錘部２０から外れている釣針部３０が、釣り人の釣竿等の操作によって、水中で、錘部２０に対して再び嵌合収容される様子を示している。釣竿等の操作によって釣糸Ｌが巻取り方向に引かれると、釣針部３０の第１取付部３６は、錘部２０の後方の面における貫通孔２２の端部の方向へと引き寄せられる（矢印Ａ１）。錘部２０の嵌合収容部２４は、貫通孔２２の端部の鉛直方向下方に設けられ、かつ、第１取付部３６は保持部３４の上側に設けられている（保持部３４の前方部３４ａは、第１取付部３６の鉛直方向下方に位置する）ため、第１取付部３６が貫通孔２２の端部に引き寄せられるに従って、保持部３４の前方部３４ａは嵌合収容部２４に近接する。そして、保持部３４の前方部３４ａが嵌合収容部２４に達すると、釣針部３０は、釣針３２が起きる方向に若干回転し、その後、保持部３４の前方部３４ａが錘部２０の嵌合収容部２４に収容される（矢印Ａ２）。ここで、保持部３４の前方部３４ａは、前方に向かって先細りとなるテーパー形状を有しているため、嵌合収容部２４に収容され易くなっている。
【００２３】
また、魚が餌を食って釣針部３０が錘部２０から外れた状態となったものの、魚がフッキングしなかった場合には、釣り人は、釣針部３０を錘部２０に再度嵌合収容させる必要があるが、本発明の構成によれば、仕掛け１０は、釣竿等の操作によって、釣針３２の針先４０が鉛直方向上方に位置するように、釣針部３０を錘部２０に嵌合収容させることが可能となり、いちいち釣り人の手元まで引き上げなくても、釣針の針先は錘部２０に対して常に所定の方向である上向きに嵌合収容することが可能となる。
【００２４】
なお、こうした水中での釣針部３０の錘部２０への嵌合収容をより容易なものとするために、仕掛け１０に、更なる変更を加えることも可能である。例えば、第１取付部３６及び釣針３２の針先４０が鉛直方向上方に位置する姿勢を維持し易くするために、釣針部３０の保持部３４を、上側（第１取付部３６が設けられている側）よりも下側の方が重くなるように、即ち重心位置を下側に設けるように構成しても良い。この場合、例えば、保持部３４を、断面台形、断面半円形、断面半楕円形等、上側部分よりも下側部分の方を体積が大きい形状としたり、又は、上側部分と下側部分とを異なる材料で形成し、下側部分を、上側部分の材料よりも比重が大きい材料を用いて形成しても良い。また、錘部２０の嵌合収容部２４（凹部の底）に第１の磁石を設け、この第１の磁石と引き合うように、釣針部３０の保持部３４（前方部３４ａの前方端部）に第２の磁石を設けるように構成しても良い。こうすれば、第１及び第２の磁石が引き合う力によって、釣針部３０の錘部２０への嵌合収容がより容易となる。
【００２５】
上述した実施形態においては、錘部２０の嵌合収容部２４及び釣針部３０の保持部３４（前方部３４ａ）の縦断面の形状を略正方形としたが、例えば、略長方形、任意の多角形、楕円形、円形等、様々な縦断面としても良い。また、何れの形状とする場合であっても、保持部３４（前方部３４ａ）の前方端部をテーパー形状（球状を含む）等とすることにより、保持部３４が嵌合収容部２４に収容され易くなる。
【００２６】
また、釣針部３０が錘部２０から意図せずに外れてしまう（例えば、仕掛け１０を水中に投入したときに外れてしまう）ことを抑制するために、例えば、保持部３４（前方部３４ａ）に嵌合収容部２４との密着性が向上する部材（例えば、ゴム製のＯリング等）を設けるように構成しても良い。
【００２７】
図７は、本発明の第二実施形態を示している。図７の右側が仕掛け全体の側面断面図、左側がＡ−Ａ断面図である。図示のとおり、本第二実施形態が第一実施形態と相違する点は、貫通孔２２の端部と嵌合収容部２４の一部が縦孔３７によって連通し、当該縦孔３７内に、釣針取付部３６のリング部が収容されるようになっている点である。
【００２８】
本構成によれば、釣針取付部３６のリング部が縦孔３７内に嵌め込まれることにより、釣針の針先向きを常に上向き状態となるように規制して、保持部３４を嵌合収容部２４に嵌合することがでる。図７の嵌合収容部２４、保持部３４の形状は、第一実施形態と同一形状としているが、本実施形態の場合、嵌合収容部２４、保持部３４の形状を単純な円筒形状や円錐形状とすることができ、第一実施形態で説明したような、複雑で特別な形状としなくても良い。
【００２９】
上記した第一、第二実施形態は、貫通孔２２、釣糸取付部３６、嵌合収容部２４の相互位置関係や縦孔３７の形成によって、保持部３４が常に所定の嵌合状態、即ち釣針の針先が上向きになるように嵌合収容部２４に嵌合されるよう構成しているが、これら以外の手段によっても実現し得る。
【００３０】
図８は、本願の第三実施形態を示している。図８の右側が仕掛け全体の側面断面図、左側がＢ−Ｂ断面図である。図示のとおり、本実施形態が第一、第二実施形態と相違する点は、貫通孔２２と嵌合収容部２４が、一つの軸線上に連通している点である。
【００３１】
本実施形態において、錘部２０から分離して外れた状態の釣針部３０を、再び錘部３０の嵌合収容部２４に収容する際に、常に所定の嵌合状態とするための手段として、嵌合収容部２４及び保持部３４の断面を、半楕円形状とし、かつ嵌合動作を円滑にするために、表面にテーパーを形成している。なお、断面を上記した形状としているのは、錘部２０から分離して外れた状態の釣針部３０を引き寄せる際に、釣針が根掛することを抑止するためである。即ち、断面半円形、断面半楕円形とすれば、平坦な底面側が海底面を向かせ易くすることができるため、釣針を当該底面と反対方向に固定しておけば、釣針の根掛を少なくすることができるからであるが、例えば台形状、卵形状など、どのような形状であっても良い。
【００３２】
なお本実施形態における錘部２０の形状は、第一、第二実施形態と同様であり、その底面以外の面を下にして着底していたとしても、釣人が釣糸を引っ張ることによって、いわゆる起き上がり動作が生じて、底面を下とした向きの姿勢に変えることができるようにするために、貫通孔２２は錘部３０の重心より上方側に形成することが望ましい。
【００３３】
なお、錘部２０の前記貫通孔と直交する方向の断面形状は、台形状、半円形状、又は半楕円形状であっても良く、或いは円弧部分が海底に接するような扇形であってもよい。扇形とする場合、その中心角は、６０〜１５０度とすることが好ましい。
【００３４】
以上説明した本発明の様々な実施形態における釣用仕掛け１０は、釣針３２と、釣針３２の根元を保持する保持部３４と、釣糸が取り付けられる釣糸取付部とを有する釣針部３０、及び、釣糸が通される貫通孔２２と、釣針部３０の保持部３４を嵌合収容する嵌合収容部２４と、を有する錘部２０、を備え、保持部３４と嵌合収容部２４は、保持部３４が嵌合収容部２４に嵌合収容した状態において、常に所定の嵌合状態となるよう構成されているため、釣針部３０が錘部２０から分離して外れた後、再び一体化する際に、常に釣針の針先が所定の方向（上向き）に向いた状態で一体化できる。本発明は、特に疑似餌を使用する仕掛けに有利であるが、生餌を使用する場合であっても、餌取りされた状態で釣針を引き揚げた際、錘部と釣針部が常に所望の関係になっていることから、釣り人が錘部に対していちいち釣針部の方向を調整する必要が無い。
【００３５】
本発明は、上述した各実施形態に限定されるものではなく、その要旨を逸脱しない範囲内で様々な変更が可能である。 
【符号の説明】
【００３６】
１０  釣用仕掛け
２０  錘部
２２  貫通孔
２４  嵌合収容部
３０  釣針部
３２  釣針
３４  保持部
３６  第１取付部
３７  縦孔
４０  針先
【図１】
0006534360.tif 000002
【図２】
0006534360.tif 000003
【図３】
0006534360.tif 000004
【図４】
0006534360.tif 000005
【図５】
0006534360.tif 000006
【図６】
0006534360.tif 000007
【図７】
0006534360.tif 000008
【図８】
0006534360.tif 000009